(57)【要約】【課題】インタフェースカバーの機械的強度を向上させると同時に、インタフェースカバーを自立用のスタンド部材に兼用して、載置時における表示部の視認性向上を図ることができる携帯端末機を提供すること。【解決手段】本体筐体３上に、動作状態を表示する表示部５と、外部機器との接続を果たす外部インタフェース８，９と、を備える携帯端末機１において、本体筐体３の下部寄りの位置に外部インタフェース８，９を装備し、インタフェースカバー１１は、本体筐体３と同等の材質で形成して、本体筐体３にヒンジ機構１３により回動可能に取り付け、開いた時には、本体筐体３を自立姿勢に保持するスタンド部材として機能させる。【選択図】図１
2008166865.tif 000002
【特許請求の範囲】
【請求項１】
本体筐体上に、動作状態を表示する表示部と、外部機器との接続を果たす外部インタフェースと、を備える携帯端末機において、
前記本体筐体の下部寄りの位置に前記外部インタフェースを装備し、
前記外部インタフェースを開閉可能に覆うインタフェースカバーは、本体筐体と同等の材質で形成して、前記本体筐体にヒンジ機構により回動可能に取り付け、開いた時には、前記本体筐体を自立姿勢に保持するスタンド部材として機能することを特徴とする携帯端末機。
【請求項２】
外部インタフェースの装備位置が本体筐体の背面の下部寄りで、外部インタフェースを開いた時のインタフェースカバーが、外部インタフェースと外部接続ケーブルとの接続部を覆うことを特徴とする請求項１に記載の携帯端末機。
【請求項３】
前記インタフェースカバーには、外部接続ケーブルを挿通させる切り欠きを設けたことを特徴とする請求項１又は２に記載の携帯端末機。
【発明の詳細な説明】
【技術分野】
【０００１】
本発明は、本体筐体上に、動作状態を表示する表示部と、動作に必要な情報等を入力する入力操作部と、外部機器との接続を果たす外部インタフェースと、を備える携帯端末機に関する。
【背景技術】
【０００２】
従来の携帯電話機は、その外観的な構造から、本体筐体が２つに折り畳まれる折り畳み型の機種と、本体筐体が上下に重なる上部筐体と下部筐体とから構成されて、上下に重なった筐体相互をスライド操作で開くようにしたスライド型の機種と、本体筐体が一体型の機種とに大別することができる。
【０００３】
本体筐体が一体型の携帯電話機の一部には、机の上等に載置する時に、自立姿勢に保持するためのスタンド部材を装備したものが提案されている（例えば、特許文献１、特許文献２、特許文献３参照）。
【０００４】
さらに、本体筐体が一体型の従来の携帯電話機では、外部機器接続用の外部インタフェースは本体筐体の側面に配置し、そのインタフェースを覆うインタフェースカバーは、ゴム材料等により形成して本体筐体に着脱可能に結合させたものが提案されている。
【０００５】
【特許文献１】特開２００５−２０４００５号公報
【特許文献２】実用新案登録  第３０７３３２８号
【特許文献３】実用新案登録  第３０６９６５１号
【発明の開示】
【発明が解決しようとする課題】
【０００６】
ところが、本体筐体が一体型の携帯電話機において、自立用のスタンド部材の装備により部品が増える場合には、部品点数の増加によりコストアップを招くという問題があった。
一方、スタンド部材が装備されていない機種の場合は、机の上等に載置するときは寝かせて置く状態になり、表示部が視認し難くなるという問題があった。
【０００７】
また、本体筐体の側面の外部インタフェースを使う時には、インタフェースカバーを外して使うが、インタフェースカバーが小さいため、接続部が外部に大きく露見し、見栄えが悪いという問題が生じた。
さらに、ゴム材料等により形成したカバーは、本体筐体と比較して機械的な強度が低いという問題があった。
【０００８】
本発明は、上記の問題を解消するためになされたものであり、外部インタフェースを覆うインタフェースカバーの機械的強度を向上させることができ、且つ、インタフェースカバーが自立用のスタンド部材を兼用することで、部品増加を招かずに、スタンド部材の装備によって載置時における表示部の視認性向上を図ることができ、さらには、外部インタフェースを使う時に接続部が外部に露出することを防止して、載置状態の時に見栄えを向上させることもできる携帯端末機を提供することである。
【課題を解決するための手段】
【０００９】
上記課題を解決するために、本発明に係る携帯端末機は、本体筐体上に、動作状態を表示する表示部と、外部機器との接続を果たす外部インタフェースと、を備える携帯端末機において、前記本体筐体の下部寄りの位置に前記外部インタフェースを装備し、前記外部インタフェースを開閉可能に覆うインタフェースカバーは、本体筐体と同等の材質で形成して、前記本体筐体にヒンジ機構により回動可能に取り付け、開いた時には、前記本体筐体を自立姿勢に保持するスタンド部材として機能することを特徴とする（請求項１）。
【００１０】
上記構成によれば、外部インタフェースを開閉可能に覆うインタフェースカバーは、本体筐体と同等の材質で形成するため、本体筐体とは材料が異なるゴム材料等で形成していた従来の場合と比較すると、インタフェースカバーの機械的強度を向上させることができる。
また、机の上等に機器を載置する際には、インタフェースカバーを開けば、該インタフェースカバーが本体筐体を自立姿勢に保持するスタンド部材として機能し、機器を自立状態に載置できるため、表示部に対して良好な視認性を確保することができる。
さらに、インタフェースカバーが、スタンド部材を兼用するため、部品点数の増加を防止して、コストアップを軽減することができる。
【００１１】
さらに、外部インタフェースの装備位置が本体筐体の背面の下部寄りで、外部インタフェースを開いた時のインタフェースカバーが、外部インタフェースと外部接続ケーブルとの接続部を覆うことを特徴とする（請求項２）。
これにより、開いた状態にしたインタフェースカバーが、外部インタフェースと外部接続ケーブルとの接続部を覆って、接続部の露見を防ぐため、外部インタフェースの使用時における見栄えを向上させることができる。
【００１２】
また、前記インタフェースカバーには、外部接続ケーブルを挿通させる切り欠きを設けたことを特徴とする（請求項３）。
これにより、外部インタフェースに外部接続ケーブルを接続した場合に、機械的強度が向上したインタフェースカバーの切り欠きが外部接続ケーブルの導出位置を規制して、外部接続ケーブルの導出方向を整えるため、見栄えをさらに良くすることができる。
【発明の効果】
【００１３】
本発明に係る携帯端末機では、外部インタフェースを開閉可能に覆うインタフェースカバーは、本体筐体と同等の材質で形成するため、本体筐体とは材料が異なるゴム材料等で形成していた従来の場合と比較すると、インタフェースカバーの機械的強度を向上させることができる。
また、机の上等に機器を載置する際には、インタフェースカバーを開けば、該インタフェースカバーが本体筐体を自立姿勢に保持するスタンド部材として機能し、機器を自立状態に載置できるため、表示部に対して良好な視認性を確保することができる。
さらに、インタフェースカバーが、スタンド部材を兼用するため、部品点数の増加を防止して、コストアップを軽減することができる。
【発明を実施するための最良の形態】
【００１４】
以下、本発明に係る携帯端末機の好適な実施の形態について、図面を参照して詳細に説明する。
図１は本発明に係る携帯端末機の第１の実施の形態である携帯電話機のインタフェースカバーを開いて載置した状態の斜視図、図２は図１のＡ矢視図、図３は図１に示した携帯電話機のインタフェースカバーを閉じた状態にした斜視図、図４は図３に示した携帯電話機のインタフェースカバーを開いて載置した状態の斜視図、図５は図４に示した携帯電話機の外部インタフェースと外部接続ケーブルとの接続状態を、インタフェースカバーを取り外した状態で示した斜視図である。
【００１５】
この第１の実施の形態の携帯電話機１は、一体型の本体筐体３上に、筐体３の短辺の側面のうち一方の側面に設けられたアンテナ２と、動作状態を表示する液晶ディスプレイによる表示部５と、動作に必要な情報等を入力する複数の入力操作キーを備えた入力操作部７と、外部機器との接続を果たす外部インタフェース８，９と、を備えている。表示部５や入力操作部７は、いずれも、本体筐体３の前面３ａに装備されている。
【００１６】
そして、本体筐体３を机の上等に立てて載置するときに下部となる側を本体筐体３の下部寄りの位置と定めると、図５に示すように、本体筐体３の背面３ｂの下部寄りの位置に、上記の２つの外部インタフェース８，９が、筐体幅方向に並んで装備されている。
【００１７】
そして、本体筐体３には、外部インタフェース８，９を開閉可能に覆うインタフェースカバー１１が、取り付けられている。このインタフェースカバー１１は、本体筐体３と同等の樹脂材質で形成されており、図２に示すように本体筐体３にヒンジ機構１３により矢印（イ）方向に回動可能に取り付けられ、開いた時には、本体筐体３を自立姿勢に保持するスタンド部材として機能する。第１の実施の形態では、本体筐体３のアンテナ２が設けられている側面とは反対側の側面３ｃが机に接触する面となって自立する。
【００１８】
また、閉じた状態のインタフェースカバー１１は、図３に示すように、外部インタフェース８，９と、本体筐体３の側面３ｃとを覆って、本体筐体３の外郭形状に沿った外観を提供する。そして、開いた時のインタフェースカバー１１は、外部インタフェース８，９とこれらの外部インタフェース８，９に接続された外部接続ケーブル１５，１６との接続部を覆う。
【００１９】
また、インタフェースカバー１１には、外部接続ケーブル１５，１６を挿通させる切り欠き１８，１９が形成されている。
【００２０】
外部インタフェース８，９としては、本体筐体３内に内蔵の二次電池に充電するＡＣ電源アダプタを接続するアダプタ接続インタフェースや、パーソナルコンピュータに接続して情報を送受するためのＰＣ接続インタフェースや、フラッシュメモリ等の外部メモリを接続するメモリスロットなどが装備される。
【００２１】
以上に説明した本実施の形態の携帯電話機１では、外部インタフェース８，９を開閉可能に覆うインタフェースカバー１１は、本体筐体３と同等の材質で形成するため、本体筐体３とは材料が異なるゴム材料等で形成していた従来の場合と比較すると、インタフェースカバー１１の機械的強度を向上させることができる。
【００２２】
また、机の上等に機器を載置する際には、インタフェースカバー１１を開けば、該インタフェースカバー１１が本体筐体３を自立姿勢に保持するスタンド部材として機能し、機器を自立状態に載置できるため、表示部５に対して良好な視認性を確保することができる。
【００２３】
さらに、インタフェースカバー１１が、スタンド部材を兼用するため、部品点数の増加を防止して、コストアップを軽減することができる。
【００２４】
また、本実施の形態の携帯電話機１では、外部インタフェース８，９の装備位置が本体筐体３の背面の下部寄りで、外部インタフェース８，９を開いた時のインタフェースカバー１１が、外部インタフェース８，９と外部接続ケーブル１５，１６との接続部を覆う構成となっている。
【００２５】
そのため、図１にも示したように、開いた状態にしたインタフェースカバー１１が、外部インタフェース８，９と外部接続ケーブル１５，１６との接続部を覆って、接続部の露見を防ぐため、外部インタフェース８，９の使用時における見栄えを向上させることができる。
【００２６】
さらに、本実施の形態の携帯電話機１では、図４にも示したように、インタフェースカバー１１には、外部接続ケーブル１５，１６を挿通させる切り欠き１８，１９を設けている。
【００２７】
そのため、外部インタフェース８，９に外部接続ケーブル１５，１６を接続した場合に、機械的強度が向上したインタフェースカバー１１の切り欠き１８，１９が外部接続ケーブル１５，１６の導出位置を規制して、外部接続ケーブル１５，１６の導出方向を整えるため、見栄えをさらに良くすることができる。
【００２８】
図６は本発明に係る携帯端末機の第２の実施の形態である携帯電話機２１のインタフェースカバー１１を開いて載置した状態の斜視図、図７は図６のＢ矢視図、図８は図７のＣ矢視図である。
【００２９】
この第２の実施の形態の携帯電話機２１は、机の上等に載置する時に細長い本体筐体３の長辺の側面３ｄが机に接触する面となって、開いたインタフェースカバー１１により自立状態が保持されるようにしたものである。載置する時の本体筐体３の向きが変更された点以外の構成は、第１の実施の形態と共通なので、共通する構成には同番号を付して、説明を省略する。
【００３０】
このように、机の上等に載置する向きが変更された場合には、外部インタフェース８，９の装備位置やインタフェースカバー１１の装備位置は、載置するときの姿勢を基準にして、本体筐体３の下部よりの位置に設定すれば良い。
【００３１】
図９は本発明に係る携帯端末機の第３の実施の形態である携帯電話機２３のインタフェースカバー１１を開いて載置した状態の斜視図、図１０は図９のＤ矢視図、図１１は図９のＥ矢視図である。
【００３２】
この第３の実施の形態の携帯電話機２３は、第１の実施の形態における外部インタフェース８，９の装備位置を、細長い本体筐体３の長辺の側面３ｄに変更したもので、外部インタフェース８，９を開閉するインタフェースカバー１１は、第１の実施の形態と同様に本体筐体３の背面３ｂ側に開く構成となっている。
第１の実施の形態と共通する構成については、同番号を付して説明を省略する。
【００３３】
このように、外部インタフェース８，９を本体筐体３の下部寄りの長辺の側面に配置し、インタフェースカバー１１を本体筐体３の背面側に開くようにした場合には、インタフェースカバー１１を開いた状態にしたとき、インタフェースカバー１１が、外部インタフェース８，９と外部接続ケーブル１５，１６との接続部を覆うことはできない。
【００３４】
しかし、インタフェースカバー１１が机の上等に載置した時に自立状態を保持するスタンド部材として機能する点は共通で、インタフェースカバー１１がスタンド部材を兼用する構成により、部品点数の増加を招くことなく、自立姿勢によって表示部５を視認性の良い載置状態に維持できるという効果は得られる。
【００３５】
なお、本発明の携帯端末機は、前述した各実施の形態に示した携帯電話機に限らない。表示部と外部インタフェースを備える各種の携帯端末機に応用でき、例えば、モバイルパソコンや、携帯用の電子辞書、デジタルカメラ等に適用することもできる。
【図面の簡単な説明】
【００３６】
【図１】本発明に係る携帯端末機の第１の実施の形態である携帯電話機のインタフェースカバーを開いて載置した状態の斜視図である。
【図２】図１のＡ矢視図である。
【図３】図１に示した携帯電話機のインタフェースカバーを閉じた状態にした斜視図である。
【図４】図３に示した携帯電話機のインタフェースカバーを開いて載置した状態の斜視図である。
【図５】図４に示した携帯電話機の外部インタフェースと外部接続ケーブルとの接続状態を、インタフェースカバーを取り外した状態で示した斜視図である。
【図６】本発明に係る携帯端末機の第２の実施の形態である携帯電話機のインタフェースカバーを開いて載置した状態の斜視図である。
【図７】図６のＢ矢視図である。
【図８】図７のＣ矢視図である。
【図９】本発明に係る携帯端末機の第３の実施の形態である携帯電話機のインタフェースカバーを開いて載置した状態の斜視図である。
【図１０】図９のＤ矢視図である。
【図１１】図９のＥ矢視図である。
【符号の説明】
【００３７】
１  携帯電話機（携帯端末機）
３  本体筐体
３ａ  本体筐体の前面
３ｂ  本体筐体の背面
３ｃ、３ｄ  本体筐体の側面
５  表示部
７  入力操作部
８，９  外部インタフェース
１１  インタフェースカバー
１３  ヒンジ機構
１５，１６  外部接続ケーブル
１８，１９  切り欠き
２１  携帯電話機（携帯端末機）
２３  携帯電話機（携帯端末機）
【図１】
2008166865.tif 000003
【図２】
2008166865.tif 000004
【図３】
2008166865.tif 000005
【図４】
2008166865.tif 000006
【図５】
2008166865.tif 000007
【図６】
2008166865.tif 000008
【図７】
2008166865.tif 000009
【図８】
2008166865.tif 000010
【図９】
2008166865.tif 000011
【図１０】
2008166865.tif 000012
【図１１】
2008166865.tif 000013